【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
ヘッドを用いてディスクにデータを書き込むことにより、データを記憶するハードディスクドライブと、
電池を格納する電池格納部と、
前記電池格納部からの前記電池の排出動作を検出する検出手段と、
前記検出手段による検出に基づいて、前記電池からの電力の供給が停止する前に、前記ハードディスクドライブの前記ヘッドを、前記ディスクと前記ヘッドが破損することがない安全な位置に退避させる制御手段とを備えることを特徴とする携帯通信端末。
【請求項２】
請求項１に記載の携帯通信端末において、
前記検出手段は、前記電池を排出可能とするための予備操作を前記排出動作として検出することを特徴とする携帯通信端末。
【請求項３】
請求項２に記載の携帯通信端末において、
前記検出手段は、前記電池格納部のカバーが開けられることを前記予備操作として検出することを特徴とする携帯通信端末。
【請求項４】
請求項２に記載の携帯通信端末において、
前記電池の電極に接触し、前記電池より電力の供給を受けるための電池切片と、
前記電池の電極と前記電池切片との接触を維持するためのロック機構とをさらに備え、
前記検出手段は、前記ロック機構によるロックが解除されることを前記予備操作として検出することを特徴とする携帯通信端末。
【請求項５】
請求項１に記載の携帯通信端末において、
前記検出手段は、前記電池の移動を前記排出動作として検出することを特徴とする携帯通信端末。
【請求項６】
請求項５に記載の携帯通信端末において、
前記電池の電極に接触し、前記電池より電力の供給を受けるための電池切片と、
前記排出動作時の前記電池の移動量が所定量となるまで、前記電池の電極と前記電池切片との接触を維持するための接触維持手段とをさらに備えることを特徴とする携帯通信端末。
【請求項７】
請求項６に記載の携帯通信端末において、
前記接触維持手段は、前記排出動作時の前記電池の移動量が所定量となるまで、前記電池切片を前記電池の電極に接触させたまま移動させることによって、前記電池の電極と前記電池切片の接触を維持することを特徴とする携帯通信端末。
【請求項８】
請求項５に記載の携帯通信端末において、
前記電池の電極に接触し、前記電池より電力の供給を受けるための電池切片と、
前記排出動作時に、前記電池が前記電池格納部に格納されている状態から前記電池の移動が所定量となるまで、前記電池の電極と前記電池切片との接触を維持するために、前記電池の電極位置の移動を規制する規制手段とをさらに備えることを特徴とする携帯通信端末。
【請求項９】
請求項１に記載の携帯通信端末において、
前記電池が排出された後に、前記ハードディスクドライブに対して、前記ヘッドを前記安全な位置に退避するために必要な電力を供給する電力供給手段をさらに備えることを特徴とする携帯通信端末。
【請求項１０】
請求項１に記載の携帯通信端末において、
前記検出手段によって前記排出動作が検出されたときに前記ハードディスクドライブがデータの書き込み中であった場合には、書き込み処理情報を記録する記録手段をさらに備えることを特徴とする携帯通信端末。
【請求項１１】
請求項１０に記載の携帯通信端末において、
前記電池が排出された後であって再度電池が投入された後に、前記記録手段に前記書き込み処理情報が記録されているか否かを判別し、前記書き込み処理情報が記録されている場合には、その旨を報知する報知手段をさらに備えることを特徴とする携帯通信端末。
【請求項１２】
請求項１０に記載の携帯通信端末において、
前記電池が排出された後であって再度電池が投入された後に、前記記録手段に前記書き込み処理情報が記録されているか否かを判別し、前記書き込み処理情報が記録されている場合には、書き込み中であった前記データの削除処理を前記ハードディスクドライブに実行させる削除手段をさらに備えることを特徴とする携帯通信端末。
【請求項１３】
請求項１〜１２のいずれか一項に記載の携帯通信端末において、
画像を撮像する撮像手段をさらに備え、
前記ハードディスクドライブは、前記撮像手段で撮像した画像データを記憶することを特徴とする携帯通信端末。 
【請求項１４】
ヘッドを用いてディスクにデータを書き込むことにより、データを記憶するハードディスクドライブと、
電池を格納する電池格納部と、
前記電池格納部からの前記電池の排出動作を検出する検出手段と、
前記検出手段による検出に基づいて、前記電池からの電力の供給が停止する前に、前記ハードディスクドライブの前記ヘッドを、前記ディスクと前記ヘッドが破損することがない安全な位置に退避させる制御手段とを備えることを特徴とする電子機器。
【手続補正２】
【補正対象書類名】明細書
【補正対象項目名】０００５
【補正方法】変更
【補正の内容】
【０００５】
請求項１に記載の携帯通信端末、および請求項１４に記載の電子機器は、ヘッドを用いてディスクにデータを書き込むことにより、データを記憶するハードディスクドライブと、電池を格納する電池格納部と、電池格納部からの電池の排出動作を検出する検出手段と、検出手段による検出に基づいて、電池からの電力の供給が停止する前に、ハードディスクドライブのヘッドを、ディスクとヘッドが破損することがない安全な位置に退避させる制御手段とを備えることを特徴とする。
請求項２に記載の発明は、請求項１に記載の携帯通信端末において、検出手段は、電池を排出可能とするための予備操作を排出動作として検出することを特徴とする。
請求項３に記載の発明は、請求項２に記載の携帯通信端末において、検出手段は、電池格納部のカバーが開けられることを予備操作として検出することを特徴とする。
請求項４に記載の発明は、請求項２に記載の携帯通信端末において、電池の電極に接触し、電池より電力の供給を受けるための電池切片と、電池の電極と電池切片との接触を維持するためのロック機構とをさらに備え、検出手段は、ロック機構によるロックが解除されることを予備操作として検出することを特徴とする。
請求項５に記載の発明は、請求項１に記載の携帯通信端末において、検出手段は、電池の移動を排出動作として検出することを特徴とする。
請求項６に記載の発明は、請求項５に記載の携帯通信端末において、電池の電極に接触し、電池より電力の供給を受けるための電池切片と、排出動作時の電池の移動量が所定量となるまで、電池の電極と電池切片との接触を維持するための接触維持手段とをさらに備えることを特徴とする。
請求項７に記載の発明は、請求項６に記載の携帯通信端末において、接触維持手段は、排出動作時の前記電池の移動量が所定量となるまで、電池切片を電池の電極に接触させたまま移動させることによって、電池の電極と電池切片の接触を維持することを特徴とする。
請求項８に記載の発明は、請求項５に記載の携帯通信端末において、電池の電極に接触し、電池より電力の供給を受けるための電池切片と、排出動作時に、電池が電池格納部に格納されている状態から電池の移動が所定量となるまで、電池の電極と電池切片との接触を維持するために、電池の電極位置の移動を規制する規制手段とをさらに備えることを特徴とする。
請求項９に記載の発明は、請求項１に記載の携帯通信端末において、電池が排出された後に、ハードディスクドライブに対して、ヘッドを安全な位置に退避するために必要な電力を供給する電力供給手段をさらに備えることを特徴とする。
請求項１０に記載の発明は、請求項１に記載の携帯通信端末において、検出手段によって排出動作が検出されたときにハードディスクドライブがデータの書き込み中であった場合には、書き込み処理情報を記録する記録手段をさらに備えることを特徴とする。
請求項１１に記載の発明は、請求項１０に記載の携帯通信端末において、電池が排出された後であって再度電池が投入された後に、記録手段に書き込み処理情報が記録されているか否かを判別し、書き込み処理情報が記録されている場合には、その旨を報知する報知手段をさらに備えることを特徴とする。
請求項１２に記載の発明は、請求項１０に記載の携帯通信端末において、電池が排出された後であって再度電池が投入された後に、記録手段に書き込み処理情報が記録されているか否かを判別し、書き込み処理情報が記録されている場合には、書き込み中であったデータの削除処理をハードディスクドライブに実行させる削除手段をさらに備えることを特徴とする。
請求項１３に記載の発明は、請求項１〜１２のいずれか一項に記載の携帯通信端末において、画像を撮像する撮像手段をさらに備え、ハードディスクドライブは、撮像手段で撮像した画像データを記憶することを特徴とする。
【手続補正３】
【補正対象書類名】明細書
【補正対象項目名】００３２
【補正方法】変更
【補正の内容】
【００３２】
以上説明した第１の実施の形態によれば、以下のような作用効果を得ることができる。
（１）電池ボックス１０２からの電池排出動作が検出された場合に、電池１０２ａからの電力の供給が停止する前に、ＨＤＤ１０５へのデータの書き込みを停止して、ＨＤＤ１０５のヘッドをヘッドとディスクが故障することのない安全な位置に退避するようにした。これによって、データ書き込み中にＨＤＤ１０５に電力が供給されなくなることに起因するＨＤＤ１０５の故障を防止することができる。